(57)【要約】【課題】スライドドア等の移動構造体の移動に伴うワイヤハーネスの揺動を干渉等なくスムーズに行わせる。【解決手段】ワイヤハーネス９を固定するハーネス固定部３１と、ハーネス固定部に続くハーネス導出部３２とを有するインナ部材３と、ワイヤハーネスを挿通させる幅広の開口部１３を有して、インナ部材を首振り自在に収容するケース２とを備える給電装置１を採用する。ケース２が、インナ部材３のハーネス導出部３２から導出された電線部分１２を余長をもって収容する部分４５と、電線部分を出口側で固定する部分１９とを有する。インナ部材３とケース２との何れか一方に回転中心軸３３を設け、何れか他方に軸受部２４を設けた。インナ部材３とケース２との何れか一方に首振り角度規制用の当接部２６を設け、何れか他方に当接部に対する被当接部２５ａ，２５ｂを設けた。【選択図】図３
2006042566.tif 000002
【特許請求の範囲】
【請求項１】
ワイヤハーネスを固定するハーネス固定部と、該ハーネス固定部に続くハーネス導出部とを有するインナ部材と、該ワイヤハーネスを挿通させる幅広の開口部を有して、該インナ部材を首振り自在に収容するケースとを備えることを特徴とする給電装置。
【請求項２】
前記ケースが、前記インナ部材のハーネス導出部から導出された電線部分を余長をもって収容する部分と、該電線部分を出口側で固定する部分とを有することを特徴とする請求項１記載の給電装置。
【請求項３】
前記インナ部材と前記ケースとの何れか一方に回転中心軸が設けられ、何れか他方に該回転中心軸に対する軸受部が設けられたことを特徴とする請求項１又は２記載の給電装置。
【請求項４】
前記インナ部材と前記ケースとの何れか一方に首振り角度規制用の当接部が設けられ、何れか他方に該当接部に対する被当接部が設けられたことを特徴とする請求項３記載の給電装置。
【請求項５】
前記当接部に対するガイド部が設けられ、該ガイド部の両側に前記被当接部が位置することを特徴とする請求項４記載の給電装置。
【請求項６】
前記インナ部材のハーネス固定部が前記ワイヤハーネスの保護チューブに係合する突部を有することを特徴とする請求項１〜５の何れかに記載の給電装置。
【請求項７】
前記インナ部材のハーネス導出部が前記ワイヤハーネスの電線部分に対するテーパ状の規制壁を有することを特徴とする請求項１〜６の何れかに記載の給電装置。
【請求項８】
移動構造体側の給電装置から前記ワイヤハーネスが導出されて、前記開口部から前記ケース内に導入されることを特徴とする請求項１〜７の何れかに記載の給電装置。
【発明の詳細な説明】
【技術分野】
【０００１】
本発明は、例えば自動車のスライドドア等の常時給電用に使用され、ワイヤハーネスを首振り式に支持する給電装置に関するものである。
【背景技術】
【０００２】
図９は従来の給電装置の一形態を示すものである（特許文献１参照）。
【０００３】
この給電装置５１は、自動車の車両ボディ５２側に配置され、スライドドア５３の開閉動作に対応して、スライドドア側と車両ボディ側とを繋ぐワイヤハーネス５４を首振り式に支持するものであり、車両ボディ５２のステップ部ないしその近傍に固定される基台５５と、基台５５に水平方向回動自在に連結された首振り式のハーネス支持部材５６とを備えている。
【０００４】
ハーネス支持部材５６にはワイヤハーネス５４の外周のコルゲートチューブを支持する爪部５７が設けられている。コルゲートチューブは合成樹脂を材料として凹溝５８ａと凸条５８ｂとを交互に形成して屈曲性を付与したものであり、コルゲートチューブの内側に複数本の電線が収容保護されてワイヤハーネス５４を構成している。爪部５７は凹溝５８ａに係合している。
【０００５】
スライドドア５３内には別の給電装置が配置されている（例えば特許文献２参照）。スライドドア内の給電装置（図示せず）は、ワイヤハーネス５４を湾曲させた状態に収容する合成樹脂製の略半円状のプロテクタと、プロテクタ内でワイヤハーネスを上向きに付勢する金属製の板ばねとで構成されている。
【０００６】
プロテクタは長形の下部開口を有しており、下部開口からワイヤハーネス５４が導出されてスライドドアと車両ボディとの間を経て車両ボディ側の給電装置５１で固定されている。スライドドア５３を閉じると（図９の実線で示す状態）、プロテクタの後部からワイヤハーネス５４が引っ張られつつ導出され、スライドドア５３を開くと（図９の鎖線で示す状態）、プロテクタの前部からワイヤハーネス５４が引っ張られつつ導出される。プロテクタ内の板ばねはスライドドア５３の開閉時（特に半開時）におけるワイヤハーネス５４の弛みを吸収する。
【０００７】
スライドドア内の給電装置としては、上記以外に例えば特許文献３においてワイヤハーネスを矩形状のプロテクタ内でＵ字状からＪ字状に屈曲させて、ワイヤハーネスの弛みを吸収させるものが提案されている。
【０００８】
この給電装置（図示せず）においては板ばねは用いず、ワイヤハーネスをプロテクタ内のスライダで前後に移動（伸縮）させることで弛みを吸収させている。スライダはスライドドアと車両ボディとの間で円弧状のプロテクタに連結され、円弧状のプロテクタは車両ボディ側の扇状のプロテクタと共に給電装置を構成している。円弧状のプロテクタは扇状のプロテクタ内を回動式に進退して、スライドドアの開閉時の車両幅方向の移動を吸収する。
【特許文献１】特開２００２−７９８９２号公報（第４頁、図１〜図２）
【特許文献２】特開２００１−３５４０８５号公報（第７〜９頁、図４，図７）
【特許文献３】特開２００４−１１２９８４号公報（第４頁、図１）
【発明の開示】
【発明が解決しようとする課題】
【０００９】
しかしながら、上記従来の車両ボディ側の給電装置（図９）にあっては、首振り式のハーネスガイド５６が他部品や他の構造物と干渉したり、乗員の乗降時に踏まれたりするといった心配があった。また、ハーネスガイド５６の後方で車両ボディ側へ導出されたワイヤハーネス部分５４ａがスライドドア５３の開閉に伴って径方向にくねるように動くために他部品や他の構造物と干渉したりする心配があった。また、ハーネスガイド５６を車両ボディ５２にボルトで固定し、次いでハーネスガイド５６にワイヤハーネス５４を固定するといった面倒な作業を必要とし、組付作業性が悪く、多くの工数がかかるという問題があった。また、金属製の給電装置５１は錆びやすく、見栄えも悪いという問題があった。
【００１０】
なお、上記引用文献２にはスライドドア側の給電装置を車両ボディ側に配設する構成が記載されており、これによれば車両ボディ側の給電装置５１をスライドドア側に配設することも可能となる。また、上記給電装置５１はスライドドア５３に限らず、開閉式のバックドアやトランクやボンネット等にも適用可能なものである。
【００１１】
本発明は、上記した点に鑑み、移動構造体の往復動作に伴ってワイヤハーネスを首振り動作させる給電装置において、他部品等に干渉したり乗員に踏まれたりすることなく作業性や見栄え良く組み付けることができる給電装置を提供することを目的とする。
【課題を解決するための手段】
【００１２】
上記目的を達成するために、本発明の請求項１に係る給電装置は、ワイヤハーネスを固定するハーネス固定部と、該ハーネス固定部に続くハーネス導出部とを有するインナ部材と、該ワイヤハーネスを挿通させる幅広の開口部を有して、該インナ部材を首振り自在に収容するケースとを備えることを特徴とする。
【００１３】
上記構成により、ワイヤハーネスが開口部からケース内に導入されてインナ部材のハーネス固定部で固定され、インナ部材のハーネス導出部からケース内を経て、あるいは直接にケースの外部に導出される。スライドドア等の移動構造体の往復動作に伴ってワイヤハーネスがケースの開口部に沿って揺動しつつ、インナ部材が首振り動作を行う。
【００１４】
請求項２に係る給電装置は、請求項１記載の給電装置において、前記ケースが、前記インナ部材のハーネス導出部から導出された電線部分を余長をもって収容する部分と、該電線部分を出口側で固定する部分とを有することを特徴とする。
【００１５】
上記構成により、インナ部材の首振り動作に伴ってインナ部材とケースの出口部との間でワイヤハーネスの電線部分が余長を吸収しつつくねり動作を行う。余長によって電線部分の引っ張りが防止され、インナ部材がスムーズに回動する（首振りを行う）。電線部分はケース内で外部との干渉や踏付け等なく安全に保護される。
【００１６】
請求項３に係る給電装置は、請求項１又は２記載の給電装置において、前記インナ部材と前記ケースとの何れか一方に回転中心軸が設けられ、何れか他方に該回転中心軸に対する軸受部が設けられたことを特徴とする。
【００１７】
上記構成により、軸受部に回転中心軸が回動自在に係合し、インナ部材がケース内で正確に位置決めされつつ回転中心軸を中心としてスムーズに首振り動作を行う。
【００１８】
請求項４に係る給電装置は、請求項３記載の給電装置において、前記インナ部材と前記ケースとの何れか一方に首振り角度規制用の当接部が設けられ、何れか他方に該当接部に対する被当接部が設けられたことを特徴とする。
【００１９】
上記構成により、インナ部材の首振り時に例えばインナ部材の当接部がケースの被当接部に当接して停止し、それ以上の首振りが規制される。被当接部は首振り方向の両側に設けられる。首振り角度が規制されることで、ワイヤハーネスの揺動が一定の範囲でスムーズに行われ、回り過ぎによるワイヤハーネスの過大変形や戻り不良の発生が防止される。例えば当接部として突部が挙げられ、被当接部として円弧状の溝の始端と終端とが一例として挙げられる。
【００２０】
請求項５に係る給電装置は、請求項４記載の給電装置において、前記当接部に対するガイド部が設けられ、該ガイド部の両側に前記被当接部が位置することを特徴とする。
【００２１】
上記構成により、当接部がガイド部に沿って案内されて、インナ部材の首振り動作がスムーズに行われる。また、インナ部材が回転中心軸と当接部との二箇所でケースに安定に支持されて、ワイヤハーネスの引張力や押圧力等に対するインナ部材の組付強度が高まる。
【００２２】
請求項６に係る給電装置は、請求項１〜５の何れかに記載の給電装置において、前記インナ部材のハーネス固定部が前記ワイヤハーネスの保護チューブに係合する突部を有することを特徴とする。
【００２３】
上記構成により、突部が保護チューブに係合して保護チューブがハーネス固定部に容易に且つ確実に固定される。例えば保護チューブとしてはコルゲートチューブが用いられ、突部はコルゲートチューブの凹溝に係合する。保護チューブでスライドドア等の移動構造体からケースまでの間で電線が外部やケースの開口部との擦れ等なく保護される。
【００２４】
請求項７に係る給電装置は、請求項１〜６の何れかに記載の給電装置において、前記インナ部材のハーネス導出部が前記ワイヤハーネスの電線部分に対するテーパ状の規制壁を有することを特徴とする。
【００２５】
上記構成により、インナ部材の首振りに伴ってワイヤハーネスの電線部分がくねり動作を行いつつ規制壁でそれ以上の大きな振れが阻止され、且つ規制壁で電線部分の導出方向が規制される。これにより、電線部分にかかる過大な曲りが阻止されると共に、電線部分の導出方向が安定する。
【００２６】
請求項８に係る給電装置は、請求項１〜７の何れかに記載の給電装置において、移動構造体側の給電装置から前記ワイヤハーネスが導出されて、前記開口部から前記ケース内に導入されることを特徴とする。
【００２７】
上記構成により、例えば自動車のスライドドア等の移動構造体が開閉されるに伴ってワイヤハーネスが揺動し、車両ボディ側の給電装置のケース内のインナ部材がワイヤハーネスと共に首振りする。ワイヤハーネスで車両ボディからスライドドアへの常時給電が行われる。
【発明の効果】
【００２８】
請求項１記載の発明によれば、インナ部材がケース内で外部との干渉や衝接や踏付け等なく安全に保護されるから、インナ部材の首振り動作が常にスムーズ且つ確実に行われ、スライドドア等の移動構造体への常時給電の信頼性が向上する。また、インナ部材とケースとで成るユニットとして給電装置を車両等に容易に作業性良く組み付けることができるから、自動車等の製造工程における組付工数が低減される。また、インナ部材がケースで覆われているから見た目が良好で、インナ部材やケースを合成樹脂で形成することで錆等の発生も防止され、商品価値が高まる。
【００２９】
請求項２記載の発明によれば、電線部分の余長によってインナ部材の首振りがスムーズに行われ、移動構造体の往復動に伴うワイヤハーネスの揺動がスムーズに行われると共に、電線部分がケース内で外部との干渉等なく安全に保護されて、常時給電の信頼性が向上する。
【００３０】
請求項３記載の発明によれば、回転中心軸を軸受部に係合させることで、インナ部材の装着が簡単且つ確実に行われる。また、インナ部材が回転中心軸を中心としてスムーズ且つ確実に首振りを行い、ワイヤハーネスの揺動がスムーズ且つ確実に行われる。
【００３１】
請求項４記載の発明によれば、インナ部材の首振り角度が適切に規制され、ワイヤハーネスの回り過ぎによる変形や傷みが防止されると共に、ワイヤハーネスの揺動が引っ掛かりなくスムーズに行われる。
【００３２】
請求項５記載の発明によれば、インナ部材がガイド部で案内されてスムーズに首振りを行うと共に、ワイヤハーネスの引張力等に対するインナ部材の組付強度が高まり、常時給電の信頼性が向上する。
【００３３】
請求項６記載の発明によれば、ワイヤハーネスをインナ部材に簡単且つ確実に固定することができ、ワイヤハーネスの組付作業性が向上する。
【００３４】
請求項７記載の発明によれば、規制壁で電線部分の過大な曲がりや振れが阻止されて、電線部分の傷みが防止され、常時給電の信頼性が向上する。
【００３５】
請求項８記載の発明によれば、例えば自動車のスライドドアの開閉に伴うワイヤハーネスの揺動がスムーズ且つ確実に行われ、スライドドアへの常時給電の信頼性が向上する。これはスライドドアに限らず、バックドアやトランク等の移動構造体においても同様である。
【発明を実施するための最良の形態】
【００３６】
図１〜図２は、本発明に係る給電装置の一使用形態を示すものである。
【００３７】
本発明の給電装置１は車両ボディ側に横置きに配置され、合成樹脂製のケース２と、ケース内に首振り自在に装着された合成樹脂製のインナ部材３（図３）とで構成される。
【００３８】
給電装置１はブラケット４をボルト締めすることで車両ボディのステップないしその近傍に固定される。スライドドア側には他の給電装置５である矩形状のプロテクタ６が縦置きに配置され、プロテクタ内にはワイヤハーネス１１がＵ字状ないしＪ字状に屈曲して収容され、プロテクタ６の下部開口７内のスライダ８からワイヤハーネス９が車両ボディ側の本発明の給電装置１に向けて導出されている。
【００３９】
スライダ８から給電装置１にかけてワイヤハーネス９の外周にコルゲートチューブが装着され、ワイヤハーネス９は給電装置１の一方から導入されて給電装置１の他方からコルゲートチューブのない電線１０の状態で車両ボディのバッテリや補機等に向けて配索されている。
【００４０】
スライドドア側の給電装置５からスライドドア内に導出された各電線（図示せず）はパワーウィンドモータやドアロック、スピーカ、スイッチユニットといった各補機に接続されている。
【００４１】
図１，図２で実線で示す部分がスライドドアの閉じ状態、鎖線で示す部分が開き状態をそれぞれ示している。スライドドア側の給電装置５はあくまでも一例であり、従来の特許文献２，３の各給電装置やそれ以外のリール巻き式の給電装置等、種々の形態のものを使用可能である。
【００４２】
図３〜図５は本発明に係る給電装置の一実施形態を詳細に示すものである。図３はスライドドアの全閉状態、図４は同じく全開状態の各平面図、図５は全開状態の側面図を示している。
【００４３】
図３〜図４においてケース２内のインナ部材３はケースの前半側でほぼ９０゜の範囲で首振りを行っている。首振りに伴ってインナ部材３からの導出電線１２はケース内の後半側の部分（収容する部分）４５で余長を有して水平方向（ケース幅方向）にくねり運動を行う。電線部分１２が余長を有したことで、ケース２の導出口１４で電線部分１２が固定されても、円滑にインナ部材３の首振り動作が行われる。インナ部材３やインナ部材３からの電線部分１２はケース内で外部との干渉等なく安全に保護されている。
【００４４】
ケース２はアッパケース１５とロアケース（ベース）１６とで構成され、両ケース１５，１６は高さ（厚さ）方向中央で接合され、例えばボルトやタップねじ等を孔部１７に挿入してねじ締め固定される。ボルトの場合はロアケース１６にナットが設けられる。両ケース１５，１６の固定は係止突起と係合枠片等の係止手段で行わせることも可能である。
【００４５】
ケース２はほぼ正方形状に形成され、対角方向にほぼ線対称に形成されている。ロアケース１６の外側に、車両ボディに固定するためのブラケット４が水平に突設され、ブラケット４はケース２の凹部１８に設けられ、ケース全体のコンパクト化が図られている。
【００４６】
ケース２の対角線上にワイヤハーネス導入口（開口部）１３と導出口（出口）１４とが設けられている。導入口１３は水平方向に広く形成され、導出口１４は狭く形成され、導出口１４にはワイヤハーネス９の電線部分１２をバンド巻き等で固定するための略板状の固定部１９が設けられている。導入や導出の区別はあくまでも説明の便宜上のものである。導入口１３と導出口１４を除いてケース２の内側空間は高さ方向の周壁２０，２１で覆われている。
【００４７】
図６にロアケース１６の単体図を示す如く、ロアケース１６の導出口１４に隣接する両側の辺部と導入口１３側の両側の隣接する辺部とに周壁２１，２２が立設され、導入口１３は両側の辺部の長さの半分ないしそれ以上の長さで直交方向に長く切欠形成されている。
【００４８】
ロアケース１６の底壁２３の中央よりも導入口１３側においてインナ部材３を回動自在に支持する円形の軸受穴（軸受部）２４が設けられ、軸受穴２４の後方（軸受穴２４よりも導出口１４寄り）において底壁２３のほぼ中央にインナ部材３の回動角度（首振り角度）を規制するための円弧状のガイド溝（ガイド部）２５が設けられている。軸受穴２４及びガイド溝２５は共に底壁２３を貫通せずに凹状に形成されている。軸受穴２４とガイド溝２５は比較的近接して配置されている。ガイド溝２５の左右の両端面２５ａ，２５ｂが後述のインナ部材３の突部（当接部）２６に対する被当接部となっている。
【００４９】
ロアケース１６の周壁２１，２２の厚肉の部分にアッパケース固定用の孔１７や車両ボディへの固定用の孔２７，２８が設けられている。導出口１４の固定部１９は底壁２３と同一面に続いている。導入口１３と軸受穴２４とガイド溝２５と導出口１４とはロアケース１６の対角線上に配置されている。導入口１３から導出口１４にかけて幅広な収容空間が形成されている。符号４５は、電線部分１２がくねり動作をする後半側の空間部分を示している。
【００５０】
アッパケースの単品図は特に図示しないが、図５の如くアッパケース１５もロアケース１６と同程度の高さの周壁２０と、底壁２３に対向する水平方向の上壁２９と、ロアケース１６の導入口１３と同じ長さ形状の導入口１３とを有し、上壁２９に底壁２３の軸受穴２４に対向して貫通した軸受孔３０を有している。対角側の導出口１４はなく、その部分は周壁２０で囲まれ、下側にロアカバー１６の導出口１４が開口して位置する。ガイド溝２５も設けられていない。
【００５１】
図７（ａ）（ｂ）〜図８にインナ部材３の単体図を示す如く、インナ部材３は、断面長円形の略環状のハーネス固定部３１と、略扇状に拡がったハーネス導出部３２とを備え、ハーネス固定部３１の後端側に上下一対の回転中心軸３３を有し、ハーネス導出部３２の下側に回転角度規制用の突部（当接部）２６を有している。各回転中心軸３３と突部２６とは共に短円柱状に形成され、大きさ形状はほぼ同じである。
【００５２】
ハーネス固定部３１は内周面に周方向のリブ（突部）３４を複数等ピッチで有し、各リブ３４はワイヤハーネス９のコルゲートチューブ３５（図３）の凹溝３５ａに係合してコルゲートチューブ３５を周方向及び軸方向に不動に固定する。本例のコルゲートチューブ３５は断面長円形のものであり、垂直方向に長径部を位置させ、水平方向に短径部を位置させている。
【００５３】
ハーネス導出部３２は左右両側にテーパ状に拡幅して設けられた壁部（規制壁）３６，３６′と、両壁部３６，３６′を繋ぐ略扇状の底壁３７とで構成され、両壁部３６，３６′と底壁３７とで囲まれた扇状のハーネス揺動空間を有している。両壁部３６，３６′はワイヤハーネス９に対する揺動角度規制壁として作用する。
【００５４】
インナ部材３は上下に分割式に形成されている。上側の分割インナ３ａは断面略半長円状の分割固定部３１ａと、分割固定部３１ａの上部に設けられた回転中心軸３３とを有している。下側の分割インナ３ｂは断面略半長円状の分割固定部３１ｂと、分割固定部３１ｂの後方に一体に続く前記ハーネス導出部３２とを有している。
【００５５】
上下の分割インナ３ａ，３ｂは、分割固定部３１ａ，３１ｂの外周に設けられた係止突起４０と可撓性の係合枠片４１とで成る係止手段で相互に固定されている。係止手段の前後において上下の分割インナ３ａ，３ｂの各左右両側に矩形状の突出部４２が形成され、上下何れか一方の突出部４２の凹部に他方の突出部４２の凸部４３が嵌合して両分割インナ３ａ，３ｂが相互に位置決めされている。位置決めによって上下の内周のハーネス保持用のリブ３４が環状に整合されている。
【００５６】
ハーネス保持用のリブ３４の後方に隣接して上下の回転中心軸の内側に環状の太幅のリブ４４が形成され、リブ４４の内径はハーネス保持用のリブ３４の内径よりも小さく、リブ４４の内側にワイヤハーネス９のコルゲートチューブ３５を除く電線部分１２が挿通される。リブ４４はコルゲートチューブ３５の端面に対するストッパとして作用する。リブ４４もハーネス保持用のリブ３４と同様に上下の分割インナ３ａ，３ｂに分割して設けられている。
【００５７】
図３〜図５の如く、コルゲートチューブ３５はインナ部材３のハーネス固定部３１内で終端し、コルゲートチューブ３５から環状のリブ４４の内側を経て電線部分１２が導出されている。電線部分１２は複数本の電線で構成され、ハーネス導出部３２の扇状の空間を経てケース２の底壁２３に沿って配索されつつ導出口１４から外部（車両ボディ内）に導出されている。電線部分１２は例えばテープで荒巻きして集束させてもよい。
【００５８】
図３のスライドドアの全閉状態（図１の実線で示す状態）で、ワイヤハーネス９のコルゲートチューブ３５は給電装置１のケース２の導入口１３の一端部１３ａ側に位置し、且つ一端部側の壁部２２とほぼ直交して位置し、コルゲートチューブ３５を保持したインナ部材３はコルゲートチューブ３５と共にケース内で導入口１３の他端部１３ｂ側の壁部２２とほぼ平行に位置し、インナ部材３の回動角度規制用の突部２６はケース２のガイド溝２５の一端部（導入口１３の他端部１３ｂ寄りの端部）２５ｂに位置している。
【００５９】
インナ部材３のハーネス固定部３１から導出されたワイヤハーネス９の電線部分１２はハーネス導出部３２において一方の壁部３６に近接してないしは接して位置し、インナ部材３のハーネス固定部３１の後端とケース２の導出口１４との間で略Ｓ字状に大きな半径で湾曲している。
【００６０】
図３のスライドドアの全閉状態から図４の如くスライドドアを全開にすることで、コルゲートチューブ３５が導入口１３の長手方向に揺動しつつ、インナ部材３がケース内で半時計方向に首振り（回動）し、コルゲートチューブ３５がケース２の導入口１３の他端部１３ｂ側に移動する。インナ部材３はコルゲートチューブ３５と共に導入口１３の一端部１３ａ側の壁部２２とほぼ平行に位置し、回動角度規制用の突部２６はガイド溝２５の他端部２５ａに位置している。
【００６１】
ワイヤハーネス９の電線部分１２はくねり運動をしてインナ部材３のハーネス導出部３２の他方の壁部３６′に近接してないしは接して位置し、インナ部材３のハーネス固定部３１とケース２の導出口１４との間で図３とは対称な形状に略逆Ｓ字状に大きな半径で湾曲している。
【００６２】
図４のスライドドアの全開状態から図３のスライドドアの全閉状態に至るまでの間は上記とは逆の動作でコルゲートチューブ３５とインナ部材３の首振りと電線部分１２のくねり動作が行われる。
【００６３】
なお、上記実施形態においては、インナ部材３の首振り角度をほぼ９０゜に設定したが、首振り角度は９０゜に限らず、スライドドアの開閉ストローク等に応じて９０゜以上又は９０゜以下というように適宜設定可能である。首振り角度の設定は円弧状のガイド溝２５の長さを適宜に設定することで行われる。首振り角度の変更に伴ってハーネス導出部３２の両壁部３６，３６′のなす角度も適宜変更される。
【００６４】
また、円弧状のガイド溝２５に代えて貫通したガイド孔を形成したり、あるいは円弧状のリブや、突部２６に当接する左右一対のストッパ壁をケース２の底壁２３に立設したりすることも可能である。また、突部２６を底壁２３に設け、ガイド溝２５やそれに類するものをインナ部材３に形成することも可能である。また、ガイド溝２５と突部２６とを上下に各一対設けることも可能である。
【００６５】
また、回転中心軸３３をインナ部材３ではなくケース２の底壁２３と上壁２９とに設け、軸受穴２４をケース２ではなくインナ部材３の上下に設けることも可能である。また、インナ部材３の形状はハーネス固定部３１とハーネス導出部３２とを備えていさえすれば、詳細な構造部分、例えば係止手段４０，４１や位置決め手段４３等は適宜位置や形状に設定可能である。また、インナ部材３を上下ではなく左右に分割式とすることも可能である。この場合、左右何れかの分割インナ３ａがハーネス導出部３２を有することが好ましい。
【００６６】
また、合成樹脂製のケース２を高さ方向中間で上下に分割せずに例えば板状のベース部と矩形箱状のアッパケースとで構成することも可能である。また、ケース２の形状は必ずしも矩形状に限らず、例えば導入口１３の部分を円弧状に形成してケース全体を略扇状としたり、ワイヤハーネス９の電線部分１２を収容する部位を電線部分１２のくねり動作を許容する狭い矩形筒状とすることも可能である。
【００６７】
また、ワイヤハーネス９の電線部分１２を収容するケース部分を削除し、くねり運動する電線部分１２をケースの外側に配置して、電線部分１２の終端を例えば車両ボディ等にクランプ等で固定するようにすることも可能である。但しこの場合は、電線部分１２を保護するための別の構成部品や、電線部分１２を車両ボディ等に干渉させないように配索する必要がある。
【００６８】
また、本例のコルゲートチューブ３５は屈曲性及びスライドドア側の給電装置６の薄型化の観点から断面長円形のものを使用しているが、円形のコルゲートチューブを使用することも可能であり、その場合はインナ部材３の環状のハーネス固定部３１を断面長円形ではなく断面円形とする。断面円形のコルゲートチューブはハーネス固定部３２のリブ３４で周方向回動自在に支持することもできる。
【００６９】
また、コルゲートチューブ３５に代えて例えば合成樹脂製の網状のチューブ等を分割式のインナ部材３で挟んで固定したり、インナ部材の内面に突設した図示しないとげ状の突起（突部）を保護チューブに刺して固定したり、あるいはインナ部材３に保護チューブを接着材等で固定したりすることも可能である。また、コルゲートチューブ３５や網状チューブといった保護チューブを使用せず、複数本の電線を直接あるいはテープ巻き等で集束した状態で分割式のインナ部材３で挟んで固定することも可能である。
【００７０】
また、本発明の給電装置１を横置き（水平配置）ではなく縦置き（垂直配置）として例えば自動車のバックドアやトランクやボンネットといったスライドドア以外の移動構造体に適用することも可能である。また、上記した各構造は給電装置１を用いたハーネス配索構造としても有効である。
【図面の簡単な説明】
【００７１】
【図１】本発明に係る給電装置の適用例の一形態を示す斜視図である。
【図２】同じく給電装置の作用を示す、（ａ）は平面図、（ｂ）は正面図である。
【図３】本発明に係る給電装置の一実施形態を示す平面図である。
【図４】同じく給電装置の首振り状態を示す平面図である。
【図５】同じく給電装置を示す側面図である。
【図６】給電装置のケースを示す平面図である。
【図７】給電装置のインナ部材を示す、（ａ）は平面図、（ｂ）は側面図である。
【図８】同じくインナ部材を示す図７（ａ）のａＡ−Ａ断面図である。
【図９】従来の給電装置の一形態を示す平面図である。
【符号の説明】
【００７２】
１              給電装置
２              ケース
３              インナ部材
５              給電装置
９              ワイヤハーネス
１２            電線部分
１３            導入口（開口部）
１９            固定部
２４            軸受穴（軸受部）
２５            ガイド溝（ガイド部）
２５ａ，２５ｂ  端面（被当接部）
２６            突部（当接部）
３１            ハーネス固定部
３２            ハーネス導出部
３３            回転中心軸
３４            リブ（突部）
３５            コルゲートチューブ（保護チューブ）
３６            壁部（規制壁）
４５            後半側の部分（収容する部分）
【図１】
2006042566.tif 000003
【図２】
2006042566.tif 000004
【図３】
2006042566.tif 000005
【図４】
2006042566.tif 000006
【図５】
2006042566.tif 000007
【図６】
2006042566.tif 000008
【図７】
2006042566.tif 000009
【図８】
2006042566.tif 000010
【図９】
2006042566.tif 000011